【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
映像データを符号化するための方法であって、前記方法は、
残りのサンプルブロックに基づいて、係数ブロックを生成することと、
前記係数ブロックの係数の第１のコード化パスの間に、前記係数ブロックの係数に対応する第１のシンタックスエレメントのセットを符号化することと、
前記係数ブロックの前記係数の第２のコード化パスの間に、前記係数ブロックの係数に対応する第２のシンタックスエレメントのセットを符号化することと、
を備え、ここにおいて、前記第２のシンタックスエレメントのセットを符号化することは、
第１のシンタックスエレメントを生成することであって、前記第１のシンタックスエレメントは、前記第２のシンタックスエレメントのセット内に入り、および前記係数ブロックの現在の係数に対応する、生成することと、
少なくとも部分的に第２のシンタックスエレメントと第３のシンタックスエレメントに基づいて、前記第１のシンタックスエレメントに関するコード化コンテキストを選択することであって、ここにおいて、前記第２のシンタックスエレメントは、前記第１のシンタックスエレメントのセット内にあり、および非因果係数に対応し、ここにおいて、前記第３のシンタックスエレメントは、前記第２のシンタックスエレメントのセット内にあり、および因果係数に対応し、前記非因果係数は、前記第２のコード化パスのコード化順において前記現在の係数の後に生じ、前記因果係数は、前記第２のコード化パスの前記コード化順において前記現在の係数の前に生じる、選択することと、
前記第１のシンタックスエレメントのために選択された前記コード化コンテキストに基づいて、前記第１のシンタックスエレメントをエントロピー符号化することであって、ここにおいて、前記第２のシンタックスエレメントのセット内の各シンタックスエレメントは、次の、ａ）前記シンタックスエレメントと関連する係数が１より大きいか、またはｂ）前記シンタックスエレメントと関連する前記係数が２より大きいか、のうちの１つを示す、エントロピー符号化することと、
ここにおいて、前記第２のシンタックスエレメントのセット内の前記シンタックスエレメントの各々が上記ａ）を示すとき、次に、前記第１のシンタックスエレメントのセットの各シンタックスエレメントは、前記シンタックスエレメントと関連する前記係数が重要であるかを示し、ここにおいて、前記第２のシンタックスエレメントのセット内の各シンタックスエレメントが上記ｂ）を示すとき、次に、前記第１のシンタックスエレメントのセットの各シンタックスエレメントは、前記シンタックスエレメントと関連する前記係数が重要であるかを示すか、または、前記シンタックスエレメントと関連する前記係数が１より大きいかを示す、
を備える、方法。
【請求項２】
前記第２のシンタックスエレメントのセットを符号化することは、
前記第１のシンタックスエレメントと第４のシンタックスエレメントを並行して生成することと、
前記第１のシンタックスエレメントに関する前記コード化コンテキストと前記第４のシンタックスエレメントに関するコード化コンテキストを並行して選択することと、ここにおいて、前記第１のシンタックスエレメントに関する前記コード化コンテキストは、前記第４のシンタックスエレメントに基づいて選択されず、および前記第４のシンタックスエレメントに関する前記コード化コンテキストは、前記第１のシンタックスエレメントに基づいて選択されず、
前記第１および第４のシンタックスエレメントに関する前記コード化コンテキストに基づいて、前記第１および第４のシンタックスエレメントを並行してエントロピー符号化すること
を備える、請求項１に記載の方法。
【請求項３】
前記係数ブロックは、複数のサブブロックを備え、前記第２のコード化パスの前記コード化順は、前記サブブロックに基づき、および前記因果係数は、前記現在の係数とは異なる前記サブブロックのうちの１つの中にある、請求項１に記載の方法。
【請求項４】
前記第１のシンタックスエレメントのために前記コード化コンテキストを選択することは、
少なくとも部分的に前記第２のシンタックスエレメントに基づいて、前記非因果係数の推定された絶対値を決定することと、
少なくとも部分的に前記第３のシンタックスエレメントに基づいて、前記因果係数の現実の絶対値を決定することと、
少なくとも部分的に前記非因果係数の前記推定された絶対値と前記因果係数の前記現実の絶対値に基づいて、前記第１のシンタックスエレメントの前記コード化コンテキストを選択すること、
を備える、請求項１に記載の方法。
【請求項５】
前記第１のシンタックスエレメントに関する前記コード化コンテキストを選択することは、
少なくとも部分的に前記第２のシンタックスエレメントに基づいて、前記非因果係数の推定された絶対値を決定することと、
少なくとも部分的に前記第３のシンタックスエレメントに基づいて、前記因果係数の推定された絶対値を決定することと、
少なくとも部分的に前記非因果係数の前記推定された絶対値と前記因果係数の前記推定された絶対値に基づいて、前記第１のシンタックスエレメントの前記コード化コンテキストを選択すること、
を備える、請求項１に記載の方法。
【請求項６】
前記因果係数は、前記第２のコード化パスの前記コード化順に従った前記現在の係数の特定の数の係数の中にあり、および前記因果係数の前記推定された絶対値を決定することは、前記因果係数に隣接する係数の推定された絶対値に等しくなるように前記因果係数の前記推定された絶対値を決定すること、または、既定の値に等しくなるように前記因果係数の前記推定された絶対値を決定すること
を備える、請求項５に記載の方法。
【請求項７】
前記第１のシンタックスエレメントの前記コード化コンテキストを選択することは、
前記非因果係数の前記推定された絶対値と前記因果係数の前記推定された絶対値に基づいて、指数を決定するために式を適用することと、ここにおいて、前記式は、前記非因果係数の前記推定された絶対値または前記因果係数の前記推定された絶対値に重み付け値を適用し、
少なくとも部分的に前記指数に基づいて、前記第１のシンタックスエレメントの前記コード化コンテキストを選択すること、
を備える、請求項５に記載の方法。
【請求項８】
前記第１のシンタックスエレメントに関する前記コード化コンテキストを選択することは、
前記非因果係数の前記推定された絶対値を２つまたは３つのビットにクリップすることと、
前記因果係数の前記推定された絶対値を２つまたは３つのビットにクリップすることと、
少なくとも部分的に前記非因果および因果係数の前記クリップされた推定された絶対値に基づいて、前記第１のシンタックスエレメントに関する前記コード化コンテキストを選択すること
を備える、請求項５に記載の方法。
【請求項９】
映像データを復号化するための方法であって、前記方法は、
係数ブロックの係数の第１のコード化パスの間に、前記係数ブロックの係数に対応する第１のシンタックスエレメントのセットを復号化することと、
前記係数ブロックの前記係数の第２のコード化パスの間に、前記係数ブロックの係数に対応する第２のシンタックスエレメントのセットを復号化することであって、ここにおいて、前記第２のコード化パスを実行することは、
少なくとも部分的に第２のシンタックスエレメントと第３のシンタックスエレメントに基づいて、第１のシンタックスエレメントに関するコード化コンテキストを選択することであって、前記第１のシンタックスエレメントは、前記第２のシンタックスエレメントのセットに入り、および前記係数ブロックの現在の係数に対応し、ここにおいて、前記第２のシンタックスエレメントは、前記第１のシンタックスエレメントのセット内にあり、および非因果係数に対応し、ここにおいて、前記第３のシンタックスエレメントは、前記第２のシンタックスエレメントのセット内にあり、および因果係数に対応し、前記非因果係数は、前記第２のコード化パスのコード化順において前記現在の係数の後に生じ、前記因果係数は、前記第２のコード化パスの前記コード化順において前記現在の係数の前に生じる、選択することと、
前記第１のシンタックスエレメントのために選択された前記コード化コンテキストに基づいて、前記第１のシンタックスエレメントをエントロピー復号化することであって、ここにおいて、前記第２のシンタックスエレメントのセット内の各シンタックスエレメントは、次の、ａ）前記シンタックスエレメントと関連する係数が１より大きいか、またはｂ）前記シンタックスエレメントと関連する前記係数が２より大きいか、のうちの１つを示す、エントロピー復号化することと、
ここにおいて、前記第２のシンタックスエレメントのセット内の前記シンタックスエレメントの各々が上記ａ）を示すとき、次に、前記第１のシンタックスエレメントのセットの各シンタックスエレメントは、前記シンタックスエレメントと関連する前記係数が重要であるかを示し、ここにおいて、前記第２のシンタックスエレメントのセット内の各シンタックスエレメントが上記ｂ）を示すとき、次に、前記第１のシンタックスエレメントのセットの各シンタックスエレメントは、前記シンタックスエレメントと関連する前記係数が重要であるかを示すか、または、前記シンタックスエレメントと関連する前記係数が１より大きいかを示す、
を備える、復号化することと、
前記係数ブロックの前記係数に基づいて、残りのサンプルブロックを生成すること、
を備える、方法。
【請求項１０】
前記第２のシンタックスエレメントのセットを復号化することは、
前記第１のシンタックスエレメントに関する前記コード化コンテキストと第４のシンタックスエレメントに関するコード化コンテキストを並行して選択することであって、ここにおいて、前記第１のシンタックスエレメントに関する前記コード化コンテキストは、前記第４のシンタックスエレメントに基づいて選択されず、および前記第４のシンタックスエレメントに関する前記コード化コンテキストは、前記第１のシンタックスエレメントに基づいて選択されない、選択することと、
前記第１および第４のシンタックスエレメントに関する前記コード化コンテキストに基づいて前記第１および第４のシンタックスエレメントを並行してエントロピー復号化すること、
を備える、請求項９に記載の方法。
【請求項１１】
前記係数ブロックは、複数のサブブロックを備え、前記第２のコード化パスの前記コード化順は前記サブブロックに基づき、および前記因果係数は、前記現在の係数とは異なる前記サブブロックのうちの１つの中にある、請求項９に記載の方法。
【請求項１２】
前記第１のシンタックスエレメントのために前記コード化コンテキストを選択することは、
少なくとも部分的に前記第２のシンタックスエレメントに基づいて、前記非因果係数の推定された絶対値を決定することと、
少なくとも部分的に前記第３のシンタックスエレメントに基づいて、前記因果係数の現実の絶対値を決定することと、
少なくとも部分的に前記非因果係数の前記推定された絶対値と前記因果係数の前記現実の絶対値に基づいて、前記第１のシンタックスエレメントの前記コード化コンテキストを選択すること、
を備える、
請求項９に記載の方法。
【請求項１３】
前記第１のシンタックスエレメントに関する前記コード化コンテキストを選択することは、
少なくとも部分的に前記第２のシンタックスエレメントに基づいて、前記非因果係数の推定された絶対値を決定することと、
少なくとも部分的に前記第３のシンタックスエレメントに基づいて、前記因果係数の推定された絶対値を決定することと、
少なくとも部分的に前記非因果係数の前記推定された絶対値と前記因果係数の前記推定された絶対値に基づいて、前記第１のシンタックスエレメントの前記コード化コンテキストを選択すること、
を備える、請求項９に記載の方法。
【請求項１４】
前記因果係数は、前記第２のコード化パスの前記コード化順に従った前記現在の係数の特定の数の係数の中にあり、および前記因果係数の前記推定された絶対値を決定することは、前記因果係数に隣接する係数の推定された絶対値に等しくなるように前記因果係数の前記推定された絶対値を決定すること、または、既定の値に等しくなるように前記因果係数の前記推定された絶対値を決定することを備える、請求項１３に記載の方法。
【請求項１５】
前記第１のシンタックスエレメントの前記コード化コンテキストを選択することは、
前記非因果係数の前記推定された絶対値と前記因果係数の前記推定された絶対値に基づいて、指数を決定するために式を適用することであって、ここにおいて、前記式は、前記非因果係数の前記推定された絶対値または前記因果係数の前記推定された絶対値に重み付け値を適用する、適用することと、
少なくとも部分的に前記指数に基づいて、前記第１のシンタックスエレメントの前記コード化コンテキストを選択すること、
を備える、請求項１３に記載の方法。
【請求項１６】
前記第１のシンタックスエレメントに関する前記コード化コンテキストを選択することは、
前記非因果係数の前記推定された絶対値を２つまたは３つのビットにクリップすることと、
前記因果係数の前記推定された絶対値を２つまたは３つのビットにクリップすることと、
少なくとも部分的に前記非因果および因果係数の前記クリップされた推定された絶対値に基づいて、前記第１のシンタックスエレメントに関する前記コード化コンテキストを選択すること、
を備える、請求項１３に記載の方法。
【請求項１７】
請求項１−８、または請求項９−１６のうちのいずれか１項に記載の方法を実行するための手段を備える、映像コード化デバイス。
【請求項１８】
命令を記憶したコンピュータ可読記憶媒体であって、前記命令は、１つまたは複数のプロセッサによって実行されるとき、前記プロセッサに、請求項１−８、または請求項９−１６のうちのいずれか１項に記載の方法を実行させる、コンピュータ可読記憶媒体。